(57)【要約】【課題】ディスクドライブによるコンテンツの再生時に十分な省電力化を図ることができ，且つそのコンテンツの再生終了後のテレビジョン放送の映像表示を迅速に行うことができるテレビジョン受像機を提供すること。【解決手段】本発明に係るテレビジョン受像機は，ディスクドライブによりディスクに記録されたコンテンツが再生される場合に（Ｓ１のＹｅｓ側），テレビ視聴機能や映像表示機能をＯＦＦとし（Ｓ１３又はＳ２３），そのコンテンツの残りの再生時間が所定時間以下に達したときに（Ｓ１２のＹｅｓ側又はＳ２２のＹｅｓ側），その停止されたテレビ視聴機能や映像表示機能をＯＮとする。【選択図】図２
2011101272.tif 000002
【特許請求の範囲】
【請求項１】
テレビジョン放送を受信するテレビジョン放送受信手段と，所定の記録媒体に記録されたコンテンツを再生するコンテンツ再生手段と，映像を表示する映像表示手段とを備えてなるテレビジョン受像機であって，
前記コンテンツ再生手段により前記コンテンツが再生される場合に，前記テレビジョン放送受信手段及び前記映像表示手段のいずれか一方又は両方の動作を停止させる動作停止手段と，
前記コンテンツ再生手段による前記コンテンツの残りの再生時間が所定時間以下に達したときに，前記動作停止手段によって停止された前記テレビジョン放送受信手段及び前記映像表示手段のいずれか一方又は両方の動作を開始させる動作開始手段と，
を備えてなることを特徴とするテレビジョン受像機。
【請求項２】
前記コンテンツ再生手段により再生される前記コンテンツに映像が含まれているか否かを判定するコンテンツ判定手段を更に備えてなり，
前記動作停止手段が，前記コンテンツ判定手段により前記コンテンツに映像が含まれていると判定された場合には，前記テレビジョン放送受信手段の動作を停止させ，前記コンテンツ判定手段により前記コンテンツに映像が含まれていないと判定された場合は，前記テレビジョン放送受信手段及び前記映像表示手段の動作を停止させるものである請求項１に記載のテレビジョン受像機。
【請求項３】
所定操作に応じて前記動作停止手段の機能を有効又は無効に切り替える動作停止機能切替手段を更に備えてなる請求項１又は２のいずれかに記載のテレビジョン受像機。
【請求項４】
前記動作停止機能切替手段が，前記コンテンツが再生される場合に，前記動作停止手段の機能の有効又は無効をユーザに選択させるための表示を行い，その表示に従った所定操作に応じて前記動作停止手段の機能を有効又は無効に切り替えるものである請求項３に記載のテレビジョン受像機。
【請求項５】
前記動作停止機能切替手段が，前記コンテンツの再生中に，所定のリモコン操作に応じて前記動作停止手段の機能を有効又は無効に切り替えるものである請求項３又は４のいずれかに記載のテレビジョン受像機。
【請求項６】
前記動作停止手段が，前記コンテンツの再生開始後，予め設定された待機時間の経過後に前記テレビジョン放送受信手段及び前記映像表示手段のいずれか一方又は両方の動作を停止させるものである請求項１〜５のいずれかに記載のテレビジョン受像機。
【請求項７】
前記所定の記録媒体が，ハードディスク，ＣＤ，ＤＶＤ，ＢＤ，メモリカードのいずれかである請求項１〜６のいずれかに記載のテレビジョン受像機。
【発明の詳細な説明】
【技術分野】
【０００１】
本発明は，ＣＤドライブ，ＤＶＤドライブ，ＢＤドライブなどの各種のディスクドライブが内蔵されたテレビジョン受像機の省電力化を図る技術に関するものである。
【背景技術】
【０００２】
従来から，ＣＤドライブ，ＤＶＤドライブ，ＢＤドライブなどの各種のディスクドライブを内蔵し，そのディスクドライブに挿入された映像及び音声を再生する液晶テレビジョン受像機（以下，「液晶テレビ」と略称する）が知られている。
一般に，液晶テレビなどの家電製品については省エネ実現の要望が高く，今後も更なる省エネ化が必要となると考えられる。具体的に，液晶テレビの省電力化を図るためには，該液晶テレビの稼働中の不要な動作をできるだけ省減させればよい。例えば，特許文献１には，省電力化を図るべく，ＣＤドライブにディスクが挿入されていない場合に，そのＣＤドライブを不動作とすることが提案されている。
【０００３】
また，ディスクドライブで再生されるコンテンツは，必ずしも映像を含むものに限らず，映像を含まない音楽データなどであることも考えられる。この場合，その映像を含まないコンテンツを再生する液晶テレビでは，音声のみを出力することができればよく，映像を表示させる必要はない。
そこで，例えば特許文献２には，ディスクドライブで再生されるコンテンツに映像が含まれていない場合に，バックライトを消灯又は減光することによって省電力化を図る技術が開示されている。
【先行技術文献】
【特許文献】
【０００４】
【特許文献１】特開平８−３０７７８３号公報
【特許文献２】特開２００７−１６６３０１号公報
【発明の概要】
【発明が解決しようとする課題】
【０００５】
ところで，ディスクドライブによりコンテンツが再生される場合には，テレビジョン放送を表示するために用いられるチューナ等を含むテレビジョン放送受信回路の動作は不要であるため，該テレビジョン放送受信回路の動作を停止させることが液晶テレビの省電力化を図る観点からは望ましい。また，ディスクドライブで再生されるコンテンツに映像が含まれていない場合には，前記テレビジョン放送受信回路だけでなく，液晶テレビにおける映像表示に関係する映像表示回路についてもその動作を停止させることが考えられる。
しかしながら，テレビジョン放送受信回路や映像表示回路などの動作を停止させると，ディスクドライブによるコンテンツの再生終了後，テレビジョン放送を表示させる際に，テレビジョン放送受信回路や映像表示回路の初期化などの起動処理が必要となる。そのため，コンテンツの再生終了からテレビジョン放送の映像表示までに待ち時間が生じるという問題が生じる。
そのため，従来は，例えば前記特許文献２に開示されているように，バックライトを消灯又は減光する程度に限られ，テレビジョン放送受信回路や映像表示回路の動作を停止させることができないため，十分に省電力化が図られているとは言えなかった。
従って，本発明は上記事情に鑑みてなされたものであり，その目的とするところは，ディスクドライブによるコンテンツの再生時に十分な省電力化を図ることができ，且つそのコンテンツの再生終了後のテレビジョン放送の映像表示を迅速に行うことができるテレビジョン受像機を提供することにある。
【課題を解決するための手段】
【０００６】
上記目的を達成するために本発明は，テレビジョン放送を受信するテレビジョン放送受信手段と，所定の記録媒体に記録されたコンテンツを再生するコンテンツ再生手段と，映像を表示する映像表示手段とを備えてなるテレビジョン受像機に適用されるものである。そして，本発明に係るテレビジョン受像機は，前記コンテンツ再生手段により前記コンテンツが再生される場合に，前記テレビジョン放送受信手段及び前記映像表示手段のいずれか一方又は両方の動作を停止させる動作停止手段と，前記コンテンツ再生手段による前記コンテンツの残りの再生時間が所定時間以下に達したときに，前記動作停止手段によって停止された前記テレビジョン放送受信手段及び前記映像表示手段のいずれか一方又は両方の動作を開始させる動作開始手段とを備えてなることを特徴とするテレビジョン受像機として構成される。なお，前記所定の記録媒体は，例えばハードディスク，ＣＤ，ＤＶＤ，ＢＤ，メモリカードのいずれかであることが考えられる。即ち，前記コンテンツ再生手段は，ハードディスクドライブ，ＣＤドライブ，ＤＶＤドライブ，ＢＤドライブ，カードリーダなどであることが考えられる。
本発明によれば，前記コンテンツ再生手段により前記コンテンツが再生される場合に前記テレビジョン放送受信手段や前記映像表示手段の動作を停止させることで十分な省電力化を図ることができると共に，前記コンテンツの再生終了の所定時間前にその停止された前記テレビジョン放送受信手段や前記映像表示手段の動作を開始させておくことで，該コンテンツの再生終了後にテレビジョン放送の映像表示を迅速に行うことができる。
【０００７】
具体的に，本発明に係る前記テレビジョン受像機は，前記コンテンツ再生手段により再生される前記コンテンツに映像が含まれているか否かを判定するコンテンツ判定手段を更に備えてなることが考えられる。
そして，前記動作停止手段は，前記コンテンツ判定手段により前記コンテンツに映像が含まれていると判定された場合には，前記テレビジョン放送受信手段の動作を停止させ，前記コンテンツ判定手段により前記コンテンツに映像が含まれていないと判定された場合は，前記テレビジョン放送受信手段及び前記映像表示手段の動作を停止させるものであることが考えられる。
これにより，前記テレビジョン受像機では，前記コンテンツ再生手段による映像が含まれているコンテンツの再生時には，前記テレビジョン放送受信手段のみの動作を停止させることで省電力化を図り，前記コンテンツ再生手段による映像が含まれていないコンテンツの再生時には，前記テレビジョン放送受信手段及び前記映像表示手段の動作を停止させて更なる省電力化を図ることができる。
【０００８】
ところで，前記動作停止手段の機能が有効であると，前記コンテンツの再生途中で停止させたときに映像表示までに待ち時間が生じる。そこで，所定操作に応じて前記動作停止手段の機能を有効又は無効に切り替える動作停止機能切替手段を備えてなる構成が望ましい。これにより，ユーザの好みで，前記動作停止手段の機能を有効又は無効に設定することが可能となる。
例えば，前記動作停止機能切替手段が，前記コンテンツが再生される場合に，前記動作停止手段の機能の有効又は無効をユーザに選択させるための表示を行い，その表示に従った所定操作に応じて前記動作停止手段の機能を有効又は無効に切り替えるものであることが考えられる。
また，前記動作停止機能切替手段は，前記コンテンツの再生中に，所定のリモコン操作に応じて前記動作停止手段の機能を有効又は無効に切り替えるものであってもよい。
【０００９】
ところで，ユーザが，再生したいディスクとは異なるディスクを誤って挿入してしまった場合などを考慮すると，前記コンテンツ再生手段によるコンテンツの再生が開始された直後は，前記コンテンツの再生開始からある程度の時間が経過した場合に比べて，前記コンテンツの再生が停止される可能性が高い。そのため，前記コンテンツの再生直後に前記テレビジョン放送受信手段や前記映像表示手段の動作を停止させると，該コンテンツが再生直後に停止された場合に迅速に映像表示を行うことができない。
そこで，前記動作停止手段は，前記コンテンツの再生開始後，予め設定された待機時間の経過後に前記テレビジョン放送受信手段及び前記映像表示手段のいずれか一方又は両方の動作を停止させるものであることが考えられる。これにより，ユーザが再生したいディスクとは異なるディスクを誤って挿入した場合など，前記コンテンツ再生手段によるコンテンツの再生直後にその再生が停止された場合に迅速に映像表示を行うことが可能である。
【発明の効果】
【００１０】
本発明によれば，前記コンテンツ再生手段により前記コンテンツが再生される場合に前記テレビジョン放送受信手段や前記映像表示手段の動作を停止させることで十分な省電力化を図ることができると共に，前記コンテンツの再生終了の所定時間前にその停止された前記テレビジョン放送受信手段や前記映像表示手段の動作を開始させておくことで，該コンテンツの再生終了後にテレビジョン放送の映像表示を迅速に行うことができる。
【図面の簡単な説明】
【００１１】
【図１】本発明の実施の形態に係る液晶テレビジョン受像機Ｘの概略構成を示すブロック図。
【図２】本発明の実施の形態に係る液晶テレビジョン受像機Ｘで実行される省電力動作制御処理の手順の一例を説明するためのフローチャート。
【発明を実施するための形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１に示されるブロック図を参照しつつ，本発明の実施形態に係る液晶テレビジョン受像機Ｘ（以下，「液晶テレビＸ」と略称する）の構成について説明する。
図１に示すように，前記液晶テレビＸは，複数のチューナ１，外部信号入力部２，復調・分離回路３，映像復号回路１１，映像選択回路１２，映像処理回路１３，液晶ドライバ１４，液晶表示パネル１５，調光回路１６，バックライト１７，音声復号回路２１，音声選択回路２２，音声処理回路２３，アンプ２４，スピーカ２５，制御回路４，リモコン受光部６，リモコン７，録画・再生回路８及びディスクドライブ９などを備えている。
当該液晶テレビＸは，その筐体内部に前記ディスクドライブ９を内蔵しており，該ディスクドライブ９にセットされたディスク（ＣＤ，ＤＶＤ，ブルーレイディスク（ＢＤ）など）から読み出された映像データ及び音声データに基づいて，前記液晶表示パネル１５及び前記スピーカ２５を通じて映像及び音声を出力するディスクドライブ内蔵型の表示装置である。
【００１３】
前記チューナ１各々は，アナログチューナやデジタルチューナなどであって，入力されたテレビジョン放送信号から放送中のコンテンツ（放送番組）の信号を抽出する電子部品である。より具体的に，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波アナログ，地上波デジタル，ＢＳ，ＣＳ等）ごとに個別に設けられる。また，前記外部信号入力部２は，外部装置から映像信号及び音声信号を入力する信号入力インターフェースである。
前記復調・分離回路３は，前記チューナ１から伝送されてきた搬送波周波数成分からトランスポートストリーム信号（Transport Stream信号：以下，ＴＳ信号）を復調する。さらに，前記復調・分離回路３は，抽出されたＴＳ信号から，視聴される放送番組に対応した映像信号及び音声信号，並びに付加データ等を分離して抽出する。また，前記復調・分離回路３は，ＴＳ信号から，付加データであるＳＩ（Service Information）等を抽出して前記制御回路４に伝送する。このＳＩは，ＥＰＧ（電子番組ガイド）の情報（例えば，番組名，番組のジャンル，放送時間等を示す情報）が多重化されたデータである。
そして，前記復調・分離回路３は，前記制御回路４から受けたＰＩＤ（Packet IDentification）に応じて，視聴対象となる放送番組の映像信号及び音声信号を抽出し，各信号を前記映像復号回路１１及び前記音声復号回路２１それぞれに伝送する。前記映像復号回路１１は，前記復調・分離回路３から伝送される映像信号を復号し，復号した映像信号を前記映像選択回路１２に伝送する。
このように，前記液晶テレビＸでは，前記チューナ１，前記復調・分離回路３，前記映像復号回路１１などから構成されるテレビジョン放送受信部Ａ（図１参照，テレビジョン放送受信手段の一例）によって，前記テレビジョン放送を受信してその映像を表示するテレビ視聴機能が実現される。なお，前記テレビジョン放送受信部Ａに含まれる構成要素はこれらに限らず，各種の構成要素を増減したものをテレビジョン放送受信手段と捉えてもよい。
【００１４】
そして，前記映像選択回路１２は，前記制御回路４からの制御指令に従って，入力される複数のコンテンツの映像信号の中から，１つ又は複数の映像信号を選択して前記映像処理回路１３へ伝送する。この映像選択回路１２に入力される信号には，前記映像復号回路１１を通じて入力される放送番組のコンテンツの映像信号と，前記外部信号入力部２を通じて入力される外部入力コンテンツの映像信号と，前記録画・再生回路８を通じて入力される再生コンテンツの映像信号とが含まれる。
【００１５】
また，前記映像処理回路１３は，前記制御回路４からの制御指令に従って，コンテンツの画像を前記液晶表示パネル１５に表示させるために前記液晶ドライバ１４に供給するフレーム画像信号を生成する。
例えば，前記映像処理回路１３は，前記制御回路４からの制御指令に従って，１つ又は複数のコンテンツの画像が全表示領域の中でレイアウトされた表示用のフレーム画像信号を生成する。即ち，前記映像選択回路１２は，１つのコンテンツの画像が全表示領域に渡って，或いは一部の表示領域のみに表示されるフレーム画像信号や，複数のコンテンツの画像が並べて配列されて表示されるフレーム画像信号等を生成する。
前記液晶ドライバ１４は，前記映像処理回路１３から所定周期で順次伝送されてくる前記フレーム画像信号に基づいて前記液晶表示パネル１５を制御し，そのフレーム画像信号に対応する１フレーム分（１コマ）の画像を前記液晶表示パネル１５に順次表示させる回路である。
また，前記液晶表示パネル１５は，前記液晶ドライバ１４による制御に応じて，前記フレーム画像信号に対応する映像を表示する。
【００１６】
一方，前記バックライト１７は，前記液晶表示パネル１５の背面側に配列された複数の光源の光により，前記液晶表示パネル１５の表示領域を背面側から照明するものである。
また，前記調光回路１６は，前記制御回路４からの制御指令に従って，前記バックライト１７の光源に対する供給電力を調節することにより，前記バックライト１７の発光の明るさを調節する回路である。
このように，前記液晶テレビＸでは，前記映像選択回路１２，前記映像処理回路１３，前記液晶ドライバ１４，前記液晶表示パネル１５，前記調光回路１６，前記バックライト１７などから構成される映像表示部Ｂ（図１参照，映像表示手段の一例）によって，前記テレビジョン放送の映像や前記ディスクドライブ９で再生されるコンテンツの映像を表示する映像表示機能が実現される。なお，前記映像表示部Ｂに含まれる構成要素はこれに限らず，各種の構成要素を増減したものを映像表示手段と捉えてもよい。
【００１７】
一方，前記音声復号回路２１は，前記復調・分離回路３から伝送されてくる音声信号を復号し，復号した音声信号を前記音声選択回路２２に伝送する。
前記音声選択回路２２は，前記制御回路４からの制御指令に従って，入力される複数の音声信号の中から１つの音声信号を選択して前記音声処理回路２３へ伝送する回路である。前記音声選択回路２２に入力される音声信号には，前記チューナ１により選局された放送番組のコンテンツの音声信号（前記音声復号回路２１を通じて入力される音声信号）と，前記外部信号入力部２を通じて入力される音声信号と，前記録画・再生回路８を通じて入力される再生コンテンツの音声信号とが含まれる。
前記音声処理回路２３は，前記制御回路４からの指示に従って，前記音声選択回路２２により選択された音声信号に対して各種信号処理を行うものである。例えば，前記スピーカ２５の特性に合わせたイコライズ処理や，サラウンド処理等を行う。
前記アンプ２４は，前記音声処理回路２３による処理後の音声信号を，前記制御回路４からの指示に従って増幅或いは減衰させる音量調節処理を行い，前記スピーカ２５に出力するものである。前記スピーカ２５は，前記アンプ２４から入力された音声信号に基づいて音声を再生する。
【００１８】
前記リモコン７は，前記液晶テレビＸを操作するための各種キーを有しており，該キーの操作に応じて，所定の信号伝送プロトコル（いわゆるリモコンプロトコル）に従った赤外線による無線信号送信を行う。
前記リモコン受光部６は，前記リモコン７から送信されたリモコン信号を前記所定の信号伝送プロトコルに従って受信する信号伝送インターフェースである。そして，前記リモコン受光部６は，赤外線信号から前記リモコン７に対する操作入力情報を表す信号を抽出し，その信号を前記制御回路４に伝送する。
前記制御回路４は，演算手段であるＭＰＵ４ａ，記憶手段であるＲＯＭ４ｂ（ＥＰＲＯＭ）及びＥＥＰＲＯＭ４ｃを備え，前記ＭＰＵ４ａが，前記ＲＯＭ４ｂに記憶された制御プログラムを実行することによって当該液晶テレビＸ全体を制御する。なお，前記ＥＥＰＲＯＭ４ｃには，前記ＭＰＵ４ａが実行する処理において読み書き（参照又は書き込み）される各種データが記憶される。
例えば，前記制御回路４は，前記リモコン７及び前記リモコン受光部６を通じてチャンネル選局や音量調節の情報を取得し，その取得情報の内容に応じて前記チューナ１に対する選局指示や前記アンプ２４に対する音量調節指示を出力する。
【００１９】
また，前記制御回路４は，前記復調・分離回路３により抽出されたＳＩに基づいて，現在放送中のコンテンツ（番組）及びこれから放送予定のコンテンツの内容に関する情報であるＥＰＧ情報（電子番組ガイド情報）を取得する。そのＥＰＧ情報は，前記ＥＥＰＲＯＭ４ｃに記録される。
ここに，前記ＥＰＧ情報には，放送番組のコンテンツのタイトル（番組名），放送媒体の種類（地上波アナログ，地上波デジタル，ＢＳ，ＣＳ等）及び放送チャンネル，放送開始日時及び放送終了日時（コンテンツの再生時間長さ），コンテンツのジャンル（ニュース，ワイドショー等），出演者等の情報が含まれている。
【００２０】
そして，前記録画・再生装置８は，放送番組のコンテンツの録画処理の際に，録画対象のコンテンツに関する前記ＥＰＧ情報を，前記制御回路４から取得してコンテンツとともに前記ディスクドライブ９に挿入された前記ディスクに記録する。
前記ディスクドライブ９は，コンテンツ再生手段の一例であって，ＣＤ，ＤＶＤ，ＢＤなどの各種の光ディスク（所定の記録媒体に相当）に記録されたコンテンツを再生するＢＤドライブである。なお，前記ディスクドライブ９は，ＢＤドライブに限らず，ＣＤドライブやＤＶＤドライブなどであってもよい。また，前記ディスクドライブ９は，ハードディスク（所定の記録媒体に相当）に記録されたコンテンツを再生するハードディスクドライブ９であることも考えられる。その他，各種のメモリカードなどの所定の記録媒体に記録されたコンテンツを再生するカードリーダなどもコンテンツ再生手段の一例である。
なお，前記ディスクドライブ９は，挿入された光ディスクの種別（ＣＤ，ＤＶＤ，ＢＤなど）を判別し，その種別を前記制御回路４に伝送する。これにより，前記制御回路４は，前記ディスクドライブ９に挿入された光ディスクの種別を知得することができる。
【００２１】
また，前記録画・再生装置８は，前記ディスクドライブ９に挿入されたディスクに記録されたコンテンツを再生する処理を実行する。
このとき，前記録画・再生装置８は，その再生対象のコンテンツのデータと共に前記ディスクに記録されている前記ＥＰＧ情報を読み出し，これを前記制御回路４に伝送する。これにより，前記制御回路４は，前記ディスクドライブ９により再生されるコンテンツの再生時間やコンテンツの種別（映像のみ，音声のみ，映像及び音声など），タイトル，ジャンル等を知得することができる。
【００２２】
そして，本実施の形態に係る前記液晶テレビＸは，前記ディスクドライブ９に挿入されたディスクの再生時に，該液晶テレビＸの省電力化を図ることのできる構成に特徴を有している。
以下，図２のフローチャートに従って，前記液晶テレビＸにおいて前記制御回路４によって実行される省電力動作制御処理の手順の一例について説明する。ここに，図中のＳ１，Ｓ２，…は処理手順（ステップ）の番号を表している。
当該省電力動作制御処理は，前記液晶テレビＸの稼働中に前記制御回路４によって随時実行される。なお，前記制御回路４は，当該省電力動作制御処理と共に，前記コンテンツの再生処理などの他の処理も並行して実行するがそれらの処理については従来と同様であるため，ここではその説明を省略する。
もちろん，前記制御回路４とは別に設けられたＡＳＩＣ（集積回路）やＭＰＵなどを有するサブマイコンなどによって，当該省電力動作制御処理が実行されることも他の実施例として考えられる。
【００２３】
（ステップＳ１）
まず，ステップＳ１において，前記制御回路４は，前記液晶テレビＸにおいて前記ディスクドライブ９に挿入されたディスクに記録されたコンテンツが再生されるか否かを判断する。具体的には，前記ディスクドライブ９にディスクが挿入された状態で，前記リモコン７などに設けられた再生ボタンが操作されたか否かを判断する。
ここで，前記ディスクドライブ９により前記コンテンツが再生されると判断すると（Ｓ１のＹｅｓ側），処理はステップＳ２に移行し，前記ディスクドライブ９により前記コンテンツが再生されるまでの間は（Ｓ１のＮｏ側），処理は当該ステップＳ１で待機する。
【００２４】
（ステップＳ２〜Ｓ３）
ステップＳ２において，前記制御回路４は，前記ディスクドライブ９によって再生されるディスクに記録された前記コンテンツの内容を判定する。ここに，係る判定処理を実行するときの前記制御回路４がコンテンツ判定手段に相当する。
具体的に，前記制御回路４は，前記コンテンツに映像が含まれているか否かを判定する。ここに，係る判定処理は，前記ディスクドライブ９に挿入されたディスクに記憶されたコンテンツのデータ種別に基づいて判定することが考えられる。例えば，ＭＰ３である場合は映像無しの音声，ＭＰＥＧなどである場合は映像有りと判定することが可能である。また，例えば挿入されたディスクがＣＤである場合には映像が含まれていないと判定し，ＤＶＤやＢＤなどである場合には映像が含まれていると判定するような簡易的なものであってもよい。
そして，ステップＳ３では，前記ステップＳ２で判定された前記コンテンツの内容に応じて処理を分岐させる。具体的に，前記制御回路４は，前記コンテンツに映像が含まれていると判定すると（Ｓ３のＹｅｓ側），処理をステップＳ１１に移行させ，前記コンテンツに映像が含まれていないと判定すると（Ｓ３のＮｏ側），処理をステップＳ２１に移行させる。
以下，まず前記コンテンツに映像が含まれている場合（Ｓ３のＹｅｓ側）に実行されるステップＳ１１〜Ｓ１５の処理について説明し，その後，前記コンテンツに映像が含まれていない場合（Ｓ３のＮｏ側）に実行されるステップＳ２１〜Ｓ２５の処理について説明する。
【００２５】
（ステップＳ１１〜Ｓ１５）
前記コンテンツに映像が含まれている場合（Ｓ３のＹｅｓ側），前記制御回路４は，前記ディスクドライブ９による前記コンテンツの残りの再生時間を確認し（Ｓ１１），その残りの再生時間が所定時間以下に達したか否かを判断する（Ｓ１２）。
ここで，前記制御回路４は，例えば前記ディスクドライブ９によって前記ディスクから取得されるＥＰＧ情報などに含まれたコンテンツの再生時間と現在のコンテンツの再生位置（時間）とを比較することにより，該コンテンツの残りの再生時間を確認する。もちろん，前記コンテンツの残りの再生時間が把握できれば他の手法を用いてもよい。
また，前記ステップＳ１２の判断指標となる前記所定時間は，後述のステップＳ１５においてテレビ視聴機能をＯＮするタイミングを定めるべく，予め設定されたものであって，例えば２〜３分程度に設定されている。なお，前記所定時間は，前記液晶テレビＸにおいて初期設定などにより変更可能であってよい。これにより，前記ディスクドライブ９に挿入されるディスクのコンテンツの本編の再生終了後に直ちにその再生を停止させることが多いユーザは，前記所定時間を長めに設定することでコンテンツの再生停止後の映像表示を迅速に行わせることができる。
そして，前記コンテンツの残りの再生時間が前記所定時間以下に達していないと判断されると（Ｓ１２のＮｏ側），処理はステップＳ１３に移行し，前記所定時間以下に達したと判断されると（Ｓ１２のＹｅｓ側），処理はステップＳ１５に移行する。
【００２６】
前記コンテンツの残りの再生時間が前記所定時間以下に達していない場合には（Ｓ１２のＮｏ側），前記液晶テレビＸにおいて前記コンテンツの再生がしばらく継続すると考えられるため，前記テレビジョン放送受信部Ａにより受信されたテレビジョン放送の映像を表示する必要はない。
そのため，ステップＳ１３において，前記制御回路４は，前記テレビジョン放送受信部Ａの動作を停止させ，テレビ視聴機能をＯＦＦにする。ここに，係る処理を実行するときの前記制御回路４は動作停止手段に相当する。なお，既に前記テレビジョン放送受信部Ａの動作が停止している場合には，その状態が継続されることとなる。例えば，前記制御回路４は，前記テレビジョン放送受信部Ａに電源を供給する不図示の電源装置を制御して，該テレビジョン放送受信部Ａへの電源供給を断つことにより，前記テレビジョン放送受信部Ａの動作を停止させることが考えられる。もちろん，前記テレビジョン放送受信部Ａを最小限の動作のみを行う待機モードに移行させることも考えられる。
ところで，ユーザが，再生したいディスクとは異なるディスクを誤って挿入してしまった場合などを考慮すると，前記ディスクドライブ９によるコンテンツの再生が開始された直後は，前記コンテンツの再生開始からある程度の時間が経過した場合に比べて，前記コンテンツの再生が停止される可能性が高い。そのため，前記コンテンツの再生直後に前記テレビジョン放送受信部Ａの動作を停止させると，該コンテンツの再生直後に停止された場合に，前記テレビジョン放送受信部Ａで受信されるテレビジョン放送の映像を迅速に表示させることができない。
そこで，前記ステップＳ１３における前記テレビジョン放送受信部Ａの動作の停止は，前記コンテンツの再生開始後，予め設定された待機時間（例えば２〜３分程度）の経過後に行われることが望ましい。これにより，ユーザが再生したいディスクとは異なるディスクを誤って挿入した場合など，前記ディスクドライブ９によるコンテンツの再生直後にその再生が停止された場合に迅速にテレビジョン放送の映像表示を行うことが可能である。
【００２７】
他方，前記コンテンツの残りの再生時間が前記所定時間以下に達している場合には（Ｓ１２のＹｅｓ側），前記液晶テレビＸにおいて前記コンテンツの再生が近々停止され，前記テレビジョン放送受信部Ａにより受信されたテレビジョン放送の映像を表示させる必要が生じる可能性が高い。
そのため，ステップＳ１５において，前記制御回路４は，前記ステップＳ１３で停止された前記テレビジョン放送受信部Ａの動作を開始させ，テレビ視聴機能をＯＮにする。ここに，係る処理を実行するときの前記制御回路４は動作開始手段に相当する。
【００２８】
（ステップＳ２１〜Ｓ２５）
続いて，前記コンテンツに映像が含まれていない場合（Ｓ３のＮｏ側）に実行されるステップＳ２１〜Ｓ２５の処理について説明する。
前記コンテンツに映像が含まれていない場合（Ｓ３のＮｏ側），前記制御回路４は，前述した前記ステップＳ１１〜Ｓ１２と同様に，前記ディスクドライブ９による前記コンテンツの残りの再生時間を確認し（Ｓ２１），その残りの再生時間が所定時間以下に達したか否かを判断する（Ｓ２２）。
そして，前記コンテンツの残りの再生時間が前記所定時間以下に達していないと判断されると（Ｓ２２のＮｏ側），処理はステップＳ２３に移行し，前記所定時間以下に達したと判断されると（Ｓ２２のＹｅｓ側），処理はステップＳ２５に移行する。
【００２９】
前記コンテンツの残りの再生時間が前記所定時間以下に達していない場合には（Ｓ１２のＮｏ側），前記液晶テレビＸにおいて前記コンテンツの再生がしばらく継続すると考えられるため，前記テレビジョン放送受信部Ａにより受信されたテレビジョン放送の映像を表示するテレビ視聴機能は必要ない。さらに，前記コンテンツに映像が含まれていないため，前記映像表示部Ｂによる映像表示機能も必要ない。
そのため，ステップＳ２３において，前記制御回路４は，前記テレビジョン放送受信部Ａ及び前記映像表示部Ｂの両方の動作を停止させ，テレビ視聴機能及び映像表示機能の両方をＯＦＦにする。ここに，前記テレビジョン放送受信部Ａ及び前記映像表示部Ｂの両方の動作を停止させるときの前記制御回路４は動作停止手段に相当する。なお，この場合にも前述同様に，前記テレビジョン放送受信部Ａ及び前記映像表示部Ｂの動作の停止は，前記コンテンツの再生開始後，予め設定された待機時間の経過後に行われることが望ましい。例えば，前記制御回路４は，前記テレビジョン放送受信部Ａや前記映像表示部Ｂに電源を供給する不図示の電源装置を制御して，該テレビジョン放送受信部Ａや映像表示部Ｂへの電源供給を断つことにより，前記テレビジョン放送受信部Ａや前記映像表示部Ｂの動作を停止させることが考えられる。もちろん，前記テレビジョン放送受信部Ａや前記映像表示部Ｂを最小限の動作のみを行う待機モードに移行させることも考えられる。
【００３０】
他方，前記コンテンツの残りの再生時間が所定時間以下に達している場合には（Ｓ２２のＹｅｓ側），前記液晶テレビＸにおいて前記コンテンツの再生が近々停止され，前記テレビジョン放送受信部Ａにより受信されたテレビジョン放送の映像などを表示させる必要が生じる可能性が高い。
そのため，ステップＳ２５において，前記制御回路４は，前記ステップＳ２３で停止された前記テレビジョン放送受信部Ａ及び前記映像表示部Ｂの両方の動作を開始させる。ここに，係る処理を実行するときの前記制御回路４は動作開始手段に相当する。
【００３１】
（ステップＳ４）
その後，前記制御回路４は，ステップＳ４において，前記コンテンツの再生終了を待ち受けており（Ｓ４のＮｏ側），再生が終了したと判断すると（Ｓ４のＹｅｓ側），処理を前記ステップＳ１に戻す。
このとき，前記コンテンツの再生が終了すると，前記制御回路４は，前記テレビジョン放送受信部Ａによって受信されるテレビジョン放送の映像を前記液晶表示パネル１５に表示させ，該テレビジョン放送の音声を前記スピーカ２５から出力させる。
ここで，前述したように，前記液晶テレビＸでは，前記制御回路４によって前記省電力動作制御処理（図２参照）が実行されることにより，前記コンテンツの再生開始時に停止された前記テレビジョン放送受信部Ａや前記映像表示部Ｂの動作が，前記コンテンツの再生終了の所定時間前に再開することとなるため，該コンテンツの再生終了後に前記テレビジョン放送の映像表示を迅速に行うことができる。
これにより，前記ディスクドライブ９によるコンテンツの再生時に，前記テレビジョン放送受信部Ａや前記映像表示部Ｂの動作を停止させることも可能となるため，該コンテンツの再生時における前記液晶テレビＸの省電力化を図ることができる。
【００３２】
なお，前記液晶テレビＸにおいて，テレビジョン放送の録画予約や視聴予約がなされている場合には，その予約時間が到来した時点で前記テレビジョン放送受信部Ａを動作させる必要があるため，テレビジョン放送の録画予約や視聴予約がなされている場合には，前記省電力動作制御処理を実行しないことも他の実施例として考えられる。また，当該省電力動作制御処理を実行し，テレビジョン放送の録画予約や視聴予約の予約時間が到来する所定時間前に前記テレビジョン放送受信部Ａの動作を開始させることも考えられる。
また，複数のディスクドライブ９を有しており，一つのディスクドライブ９によりコンテンツを再生し，他のディスクドライブ９でテレビジョン放送の録画を行うことが可能な構成では，その録画が行われる場合には，前記省電力動作制御処理を実行しないよう制御することが考えられる。或いは，前記省電力動作制御処理の前記ステップＳ１３又はＳ２３における前記テレビジョン放送受信部Ａの動作の停止は禁止し，前記ステップＳ２３における前記映像表示部Ｂの動作の停止のみを有効とすることも考えられる。
【実施例】
【００３３】
ところで，前記実施の形態では，前記液晶テレビＸにおいて，前記制御回路４によって前記省電力動作制御処理が実行されることにより，常に前記テレビジョン放送受信部Ａや前記映像表示部Ｂの動作を停止させる動作停止機能（Ｓ１３又はＳ２３）が有効である場合を例に挙げて説明した。
一方，前記液晶テレビＸにおいて，ユーザによる所定操作に応じて前記動作停止機能を有効又は無効に切り替えることが可能な構成も考えられる。ここに，係る切替処理を実行するときの前記制御回路４が動作停止機能切替手段に相当する。これにより，ユーザは自己の好みや使用態様などによって前記動作停止機能の有効又は無効を任意に選択することができる。
具体的には，前記コンテンツの再生が開始されるときに，前記制御回路４が，前記動作停止機能の有効又は無効をユーザに選択させるための選択画面を前記液晶表示パネル１５に表示させ，その表示に従った前記リモコン７などに対するユーザ操作に応じて前記動作停止機能を有効又は無効に切り替えることが考えられる。例えば，「動作停止機能をオフしますか？」などの問い合わせ表示を行い，「Ｙｅｓ」又は「Ｎｏ」のいずれかをユーザに選択させることが考えられる。
【００３４】
また，前記ディスクドライブ９によるコンテンツの再生の度に前記動作停止機能の有効又は無効を設定することも考えられるが，その設定作業が面倒になる。
そこで，例えば初めに前記ディスクドライブ９によるコンテンツの再生が行われる際に一度だけ，或いは所定期間が経過したタイミング毎に同設定を行うことも考えられる。この場合には，例えば「今後，動作停止機能を自動的にオフとしますか？」などの問い合わせ表示を行えばよい。
なお，前記テレビジョン放送受信部Ａ及び前記映像表示部Ｂについて個別に動作停止機能の有効又は無効を設定することが可能であることも考えられる。これにより，例えば前記テレビジョン放送受信部Ａのみの動作停止機能を有効とし，前記映像表示部Ｂについては動作を停止させないように設定することができる。
もちろん，前記制御回路４が，前記コンテンツの再生開始後，該コンテンツの再生中に前記リモコン７のユーザ操作に応じて前記動作停止機能を有効又は無効に切り替えることも可能である。
【符号の説明】
【００３５】
Ａ    ：テレビジョン放送受信部（テレビジョン放送受信手段の一例）
Ｂ    ：映像表示部（映像表示手段の一例）
Ｘ    ：液晶テレビジョン受像機（本発明のテレビジョン受像機の一例）
１    ：チューナ
２    ：外部信号入力部
３    ：復調・分離回路
４    ：制御回路
６    ：リモコン受光部
７    ：リモコン
８    ：録画・再生回路
９    ：ディスクドライブ（コンテンツ再生手段の一例）
１１  ：映像復号回路
１２  ：映像選択回路
１３  ：映像処理回路
１４  ：液晶ドライバ
１５  ：液晶表示パネル
１６  ：調光回路
１７  ：バックライト
２１  ：音声復号回路
２２  ：音声選択回路
２３  ：音声処理回路
２４  ：アンプ
２５  ：スピーカ
Ｓ１，Ｓ２，…：ステップ（処理手順）番号
【図１】
2011101272.tif 000003
【図２】
2011101272.tif 000004